(57)【要約】【課題】冷房および暖房を行う空調機は、消費電力の低下、冷房排熱の回収、低外気温時の暖房能力向上が課題としてある。【解決手段】圧縮機、室外熱交換器、室外送風機、室内熱交換器、室内送風機、冷媒対蓄熱媒体熱交換器、蓄熱媒体槽および蓄熱媒体循環ポンプを備え、制御弁、冷暖切換弁、減圧装置および逆止弁などを配管中に図１に示す配置を行い、制御弁、室外送風機、室内送風機、冷暖切換弁および蓄熱媒体循環ポンプを表１に示す制御をする事で、冷房、暖房、蓄熱媒体への蓄熱、蓄熱媒体からの熱の取り込みおよび冷房排熱による蓄熱などが可能となり、低外気温度時の暖房能力増強や外部に温水を供給することが出来る省エネルギーなヒートポンプ空調機が可能となる。【選択図】図１
2006017440.tif 000002
【特許請求の範囲】
【請求項１】
電気駆動機械圧縮式の冷媒圧縮機を装備し、共に室外熱交換器、室外送風機、室内熱交換器、室内送風機、冷媒対蓄熱媒体熱交換器、蓄熱媒体槽および蓄熱媒体循環ポンプを装備し、冷媒流の通過および遮断を行う複数の制御弁および冷暖切換弁を装備し、ならびに圧力を減圧する減圧装置と冷媒の流れを自動的に閉止する逆止弁を装備し、これらを組み合わせて冷媒循環サイクルおよび蓄熱媒体循環サイクルを形成させ、圧縮機、室外送風機、室内送風機、蓄熱媒体循環ポンプ、複数の制御弁および冷暖切換弁を制御する事で、冷房運転および暖房運転を行い、冷房運転および暖房運転を行わない時には蓄熱媒体へのヒートポンプ運転による蓄熱を行い、また必要時には蓄熱媒体からの冷媒へ熱の取り込みを行い、その熱を暖房運転および除霜運転に利用を可能とし、冷房運転時の排熱を蓄熱媒体へ蓄熱が可能なヒートポンプ空調機とその運転方法。
【請求項２】
請求項１の蓄熱媒体槽に外部からの熱を与えられるようにボイラーを接続可能としたものまたは電気ヒーターを装備したもの。
【請求項３】
請求項１の蓄熱媒体槽に外部からの水を加熱可能なよう熱交換器を内在または蓄熱媒体槽外側に密着させたもの。
【発明の詳細な説明】
【技術分野】
【０００１】  本発明は冷房運転とヒートポンプ暖房を行う空冷式空調機器の分野とヒートポンプで給湯を行うヒートポンプ給湯機器の分野の両方を含んでいる。
【背景技術】
【０００２】  従来技術は、ヒートポンプ空調機、ヒートポンプ温水機、暖房増強ヒートポンプ機などがある。【０００３】  ヒートポンプ空調機は冷媒回路を切り替えて冷房および暖房する空調用機器で図２に冷媒系統と主要機器を示す。【０００４】  ヒートポンプ温水機は温水温度を室外空気から熱を奪いそれを温水の加熱に利用する機器で図３に冷媒系統と主要機器を示す。【０００５】  暖房能力増強ヒートポンプは、ボイラーなどと組み合わせボイラーの熱を冷媒に移動させ結果として暖房能力を増強させる空調用機器で図４に冷媒系統と主要機器を示す。図４における蓄熱媒体行き管３４および蓄熱媒体戻り管３５はボイラーとの循環用配管を示す。
【発明の開示】
【発明が解決しようとする課題】
【０００６】  冷房および暖房する空調機は、電力使用量が大きい事から国全体の電力供給に影響を与えるため、省エネルギー機器が求められている。【０００７】  ヒートポンプ空調機においては、消費電力の低下、低外気温時の暖房能力低下対策および低外気温時の除霜時冷風吹出し対策が課題である。【０００８】  冷房運転時には室内からの熱と圧縮機の入力エネルギーを室外熱交換器で外気に捨てていて、何ら利用されていない。【０００９】  暖房運転はヒートポンプ運転を行い、室外熱交換器で外気から熱を汲み上げるが、そのため外気温度が低下すると汲み上げ熱量が低下し、ひいては暖房能力が不足することがある。【００１０】  また、おおよそ２℃以下の低外気温時には、室外熱交換器に霜が付くため外気の流通を妨げ、同時に霜が熱抵抗となるため外気から熱を汲み上げる事が困難となる。そのため室外熱交換器に付着した霜を溶かす必要がある。この除霜のために暖房運転から切り替え、一時冷房運転を行い空調室内の熱で霜を溶かしていた。これは空調室内から熱を奪うため、室内温度が低下してしまう事となり快適な空調とは成らない事実がある。【００１１】  ヒートポンプ温水機は、外気からの熱をヒートポンプ動作で温水温度の上昇に利用する機器である。従い冬期夏期とも外気を冷却しているが、夏期に冷風を冷房に利用する事はできなかった。【００１２】  暖房能力増強ヒートポンプ機では、空調機の他にボイラーなど熱源を有している機器と接続を行い、その熱を暖房能力の増加に使っているものである。この機器は暖房能力の増加を行っているが、外気温度が高く暖房能力増強運転が不要な時にヒートポンプ運転を行い熱を外気から汲み上げ、その熱を逆にボイラー側に供給する事は出来ない。【００１３】  暖房能力増強ヒートポンプ機の別の例では、圧縮機の駆動にガスエンジンを使用したものがある。これはガスエンジンのエンジン冷却水を熱交換器を通して空調機の暖房能力増強に利用している。この機器の場合、エンジン冷却のために捨てる熱の一部を暖房能力増強に利用している。しかしこの機器で効率の高いヒートポンプ運転を行なおうとしても結局エンジンは運転しなければならず、結果排熱がまた出てしまう事となり、省エネルギーの機器とはならないのが現状である。もし、ヒートポンプ温水機と同じ運転を行ったとしても外気から汲み上げた熱を逆にエンジン側に熱として供給する事は不可能である。【００１４】  また、冷房運転の場合、エンジン冷却のための排熱と空調室内からの熱と両方の熱を捨てなければならないため、エネルギーの節減にはならない。【００１５】  また、冷房運転および暖房運転をしないでヒートポンプ温水機と同じような温水だけを作る事はできない。
【課題を解決するための手段】
【００１６】  電気駆動機械圧縮式の冷媒圧縮機を装備し、共に室外熱交換器、室外送風機、室内熱交換器、室内送風機、冷媒対蓄熱媒体熱交換器、蓄熱媒体槽および蓄熱媒体循環ポンプを装備し、冷媒流の通過および遮断を行う複数の制御弁および冷暖切換弁を装備し、圧力を減圧する減圧装置と冷媒の流れを自動的に閉止する逆止弁を装備し、これらを組み合わせて冷媒循環サイクルおよび蓄熱媒体循環サイクルを形成させる。これらの内、圧縮機、室外送風機、室内送風機、蓄熱媒体循環ポンプ、複数の制御弁および冷暖切換弁を制御する事で、冷房運転、暖房運転、冷房および暖房運転をしない時には蓄熱媒体への蓄熱運転、蓄熱媒体から熱を取り込み使用する暖房能力増強運転および除霜運転、冷房排熱の蓄熱媒体への蓄熱運転などが可能となる。【００１７】  蓄熱媒体槽には外部からの熱が与えられるようにボイラーを接続可能とし、または電気ヒーターを装備する事で低外気温時の暖房能力増強が可能となる。【００１８】  蓄熱媒体槽の内にコイル状の熱交換器を内在させたり、または蓄熱媒体槽外側にコイルを密着させ蓄熱媒体槽と熱交換可能なよう装備すれば、外部からの水道水などが加熱可能で温水として利用が可能となる。
【発明の効果】
【００１９】  本発明によれば、空調機として冷房運転が可能で、かつ冷房時には排熱を蓄熱媒体槽に回収し間接的に水道水などを加熱し温水として利用する事が可能である。この運転の時は、冷房しつつ冷房排熱を利用するため両者を含めたエネルギー効率はかなり高くなる。【００２０】  本発明による暖房運転は、ヒートポンプ暖房をするためエネルギー効率は高い。ただし、従来のヒートポンプにおいては外気温度の低下と略比例で汲み上げ熱量が低下するため、暖房能力が不足となる事があった。その上、外気２度以下となると室外熱交換器に着霜が発生し、これが通風妨害と熱伝達妨害をするため、暖房運転中であっても一時冷房運転とし、除霜運転をしなければならなかった。除霜運転も暖房能力を低下させる別要因である。【００２１】  本発明は、蓄熱運転や外部ボイラーなどで蓄熱媒体槽に蓄熱し、その熱を利用して暖房運転や除霜運転する事が可能であるため外気温度にかかわらず安定した高い暖房能力を確保できる。【００２２】  本発明は、夏期は蓄熱媒体槽への蓄熱を冷房排熱で行い、冬期は暖房が規定温度まで達した状態や暖房が不要な時にも蓄熱運転が行えるため外部からの熱の供給は少なくて済み省エネルギーな空調機とする事が可能である。【００２３】  本発明は冷房排熱を回収し、それを給湯に利用が可能なため、厨房など冷房と給湯が同時に必要とされる場合、大幅な省エネルギーとする事ができる。
【発明を実施するための最良の形態】
【００２４】  本発明の圧縮機は電気駆動機械圧縮式の冷媒圧縮機を使用する。【００２５】  本発明は冷媒回路を切り替える事で冷房運転および暖房運転を行う機器で、暖房運転時必要な場合には蓄熱媒体の保有熱を利用し低外気温時の暖房能力不足を補い、室外熱交換器の除霜に蓄熱媒体の熱を利用し、冷房及び暖房をしていない時には、ヒートポンプ運転で室外空気から熱を取り込み蓄熱媒体の温度を上昇させ、冷房運転時には室外に排出する熱を蓄熱媒体の温度の上昇とし冷房排熱の回収を行う事が可能である。【００２６】  本発明の冷媒系統、蓄熱媒体系統および主要機器を図１に示す。図１は圧縮機、室外熱交換器、室外送風機および冷媒対蓄熱媒体熱交換器などを一つの筐体に納め室外機５０とし、室内熱交換器および室内送風機などを一つの筺体に納め室内機５１とし、蓄熱媒体槽および蓄熱媒体循環ポンプなどを一つの筐体に納め蓄熱媒体ユニット５２とした例である。【００２７】  室内機５１は、プレートフィンチューブ式の室内熱交換器１５に室内送風機１７をモーターで回す事で室内空気を通過させ、冷媒と空気を熱交換させ、通過空気を冷却および加熱し、冷房および暖房するものである。【００２８】  冷媒系統の機器は、圧縮機１、冷暖切換弁２、制御弁３、制御弁４、室外熱交換器５、逆止弁６、減圧装置７、制御弁８、制御弁９、閉鎖弁１０、閉鎖弁１２、減圧装置１３、逆止弁１４、室内熱交換器１５、閉鎖弁１６、閉鎖弁１８、気液分離器１９、減圧装置２０、逆止弁２１、冷媒対蓄熱媒体熱交換器２２、減圧装置２３、逆止弁２４、制御弁２５、接続配管３２および接続配管３３である。【００２９】  蓄熱媒体は水および不凍液など液体である。蓄熱媒体系統は、冷媒対蓄熱媒体熱交換器２２、蓄熱媒体槽２６、電気ヒーター２７、蓄熱媒体循環ポンプ２８、蓄熱媒体行き管３４および蓄熱媒体戻り管３５である。【００３０】  本発明の機器の運転は、冷房運転、冷房排熱回収運転、暖房運転、暖房能力増強Ａ運転、暖房能力増強Ｓ運転、除霜Ａ運転、除霜Ｂ運転および蓄熱運転の８種類がある。【００３１】  冷房運転は、蓄熱媒体槽２６の温度が規定まで上がり昇温が不要な場合で室内を冷房が必要な時に行う。ただし、蓄熱媒体槽２６の熱を使う必要がない場合には、冷房が必要となった場合だけで冷房運転を行う事も可能である。【００３２】  冷房運転における冷媒の流れ方は、図１で圧縮機１から吐出された冷媒は、冷暖切換弁２を通り、制御弁３、室外熱交換器５、逆止弁６、制御弁８、制御弁９、閉鎖弁１０、接続配管３２、閉鎖弁１２、減圧装置１３、室内熱交換器１５、閉鎖弁１６、接続配管３３、閉鎖弁１８、冷暖切換弁２、気液分離器１９、圧縮機１と流れ一巡し冷凍サイクルとなる。この時、制御弁２５および制御弁４は閉止状態となっている。【００３３】  逆止弁１４は自動的に閉止状態となっている。蓄熱媒体循環ポンプ２８は停止させる。室外送風機１１は運転し、室外熱交換器５に空気を流通させ室内からの吸熱と圧縮機の入力分の熱とを排熱させる。室内送風機１７は通常運転し空調する室内の空気を循環させ、冷却および除湿を行う。【００３４】  冷房排熱回収運転は、蓄熱媒体槽２６の温度が規定温度より低い温度で昇温が必要な場合で室��を冷房が必要な時に行う。【００３５】  冷房排熱回収運転における冷媒の流れ方は、図１で圧縮機１を吐出した冷媒は、冷暖切換弁２を通り、逆止弁２１、冷媒対蓄熱媒体熱交換器２２、逆止弁２４、制御弁２５、制御弁９、閉鎖弁１０、接続配管３２、閉鎖弁１２、減圧装置１３、室内熱交換器１５、閉鎖弁１６、接続配管３３、閉鎖弁１８、冷暖切換弁２、気液分離器１９、圧縮機１と流れ一巡し冷凍サイクルとなる。
この時、制御弁３および制御弁８は閉止状態とする。制御弁４は、通過状態とし、冷媒が室外熱交換器に溜まり込まないようにする。【００３６】  逆止弁１４は自動的に閉止状態となっている。蓄熱媒体循環ポンプ２８は蓄熱媒体を冷媒対蓄熱媒体熱交換器２２と蓄熱媒体槽２６とを循環する運転をする。このため冷房の排熱は蓄熱媒体槽２６の蓄熱媒体温度上昇となって、外部の水道水３０などを昇温可能で温水として利用が出来る。冷房排熱回収運転の場合、室外送風機１１は停止、室内送風機１７は運転し室内空気を冷房および除湿する。【００３７】  暖房運転は室内を暖房が必要な時に行う。【００３８】  暖房運転における冷媒の流れ方は、図１で圧縮機１から吐出された冷媒は、冷暖切換弁２を通り、閉鎖弁１８、接続配管３３、閉鎖弁１６、室内熱交換器１５、逆止弁１４、閉鎖弁１２、接続配管３２、閉鎖弁１０、制御弁９、制御弁８、減圧装置７、室外熱交換器５、制御弁３、冷暖切換弁２、気液分離器１９、圧縮機１と流れ一巡した冷凍サイクルとなる。この時、制御弁２５および制御弁４は閉止状態とする。【００３９】  蓄熱媒体循環ポンプ２８は停止とする。室外送風機１１は通常は運転し、室外空気を室外熱交換器５に流通させ熱を取り込む。室内送風機１７は通常は運転し、室内空気を室内熱交換器１５に通過させ冷媒と空気との熱交換を行い空気温度を上昇させ暖房する。【００４０】  暖房能力増強運転は２種類あって、一つは冷媒対蓄熱媒体熱交換器２２だけを使う場合の暖房能力増強Ａ運転、もう一つは室外熱交換器５と冷媒対蓄熱媒体熱交換器２２とを同時に使う場合の暖房能力増強Ｓ運転である。【００４１】  暖房能力増強Ａ運転では室外熱交換器５は使用せず冷媒対蓄熱媒体熱交換器２２だけ使用し、冷媒の流れ方は、図１で圧縮機１から吐出された冷媒は、冷暖切換弁２を通り、閉鎖弁１８、接続配管３３、閉鎖弁１６、室内熱交換器１５、逆止弁１４、閉鎖弁１２、接続配管３２、閉鎖弁１０、制御弁９、制御弁２５、減圧装置２３、冷媒対蓄熱媒体熱交換器２２、減圧装置２０、冷暖切換弁２、気液分離器１９、圧縮機１と流れ一巡した冷凍サイクルとなる。この時、制御弁８および制御弁４は閉止状態で、制御弁３は流通状態とする。【００４２】  室外送風機１１は停止状態で、室内送風機１７は通常は運転し、室内空気を室内熱交換器１５に通過させて空気の加熱を行う。蓄熱媒体循環ポンプ２８は蓄熱媒体を冷媒対蓄熱媒体熱交換器２２と蓄熱媒体槽２６とを循環する運転を行い、蓄熱媒体槽２６の熱を暖房に利用する。この運転は蓄熱媒体槽２６に十分な熱の蓄積がある時や、蓄熱媒体槽２６にボイラーなど十分な熱源が用意されている場合に利用する。【００４３】  外気が低く室外熱交換器５だけではでは十分な暖房能力が得られない場合であっても、蓄熱媒体槽２６に蓄熱してある熱を利用する事で暖房能力の増強が可能となる。【００４４】  暖房能力増強Ｓ運転では、室外熱交換器５と冷媒対蓄熱媒体熱交換器２２とを同時に使用し、冷媒の流れ方は、図１で圧縮機１から吐出された冷媒は、冷暖切換弁２を通り、閉鎖弁１８、接続配管３３、閉鎖弁１６、室内熱交換器１５、逆止弁１４、閉鎖弁１２、接続配管３２、閉鎖弁１０、制御弁９、冷媒は二つに分かれ一方は制御弁８、減圧装置７、室外熱交換器５、制御弁３の経路で、冷暖切換弁２にいたる。分かれた冷媒のもう一方は、制御弁２５、減圧装置２３、冷媒対蓄熱媒体熱交換器２２、減圧装置２０を通り冷暖切換弁２に至る経路をたどり、冷暖切換弁２の上流で合流した冷媒は冷暖切換弁２から気液分離器１９に入り圧縮機１に至り一巡した冷凍サイクルとなる。【００４５】  室外送風機１１および室内送風機１７は運転する。室内送風機１７は室内空気を室内熱交換器１５に通過させて空気の加熱を行う。蓄熱媒体循環ポンプ２８は蓄熱媒体を冷媒対蓄熱媒体熱交換器２２と蓄熱媒体槽２６とを循環する運転を行い、蓄熱媒体槽２６の熱を暖房に利用する。この運転は蓄熱媒体槽２６に熱の蓄積がある時や、蓄熱媒体槽２６にボイラーなど熱源が用意されている場合に利用する。制御弁４は閉止状態とする。【００４６】  室外熱交換器５と冷媒対蓄熱媒体熱交換器２２とを同時に使うために、減圧装置２０を設置し、外気温度に対する蒸発温度と整合させている。減圧装置２０がない場合、蓄熱媒体温度の方が外気温度よりかなり高いため、冷媒の蒸発温度は蓄熱媒体の温度に応じた高い温度となるため、室外熱交換器５から吸熱できなくなる。【００４７】  室外熱交換器５と冷媒対蓄熱媒体熱交換器２２とを同時に使う理由は、二つある。一つは両方の熱交換器を同時に使う事で、室外熱交換器５に着霜が起こり難くなるためと、もう一つは蓄熱媒体槽２６にある熱は有限量であるため、室外熱交換器５からの汲み上げ熱量を多くし、蓄熱媒体槽２６の熱を温存したいためである。【００４８】  除霜運転は、低外気温時に暖房運転を行うと室外熱交換器５に霜が付き、そのため通風抵抗が増加し、また霜の熱抵抗で熱伝達性能が低下するため、室外空気から熱を汲み上げられなくなるのを避けるため、霜を溶かし流過させる事を行う。除霜運転には、室内熱交換器１５に高温の冷媒を流す除霜Ａ運転と、冷媒対蓄熱媒体熱交換器２２に冷媒を流しその熱を利用する除霜Ｂ運転がある。【００４９】  除霜Ａ運転の時の冷媒の流れ方は、図１で圧縮機１から吐出された冷媒は、冷暖切換弁２を通り、制御弁３、室外熱交換器５、逆止弁６、制御弁８、制御弁９、閉鎖弁１０、接続配管３２、閉鎖弁１２、減圧装置１３、室内熱交換器１５、閉鎖弁１６、接続配管３３、閉鎖弁１８、冷暖切換弁２、気液分離器１９、圧縮機１と流れ一巡した冷凍サイクルとなる。この時、制御弁２５および制御弁４は閉止状態とする。逆止弁１４は自動的に閉止状態となっている。【００５０】  蓄熱媒体循環ポンプ２８は運転していても停止していてもよい。室外送風機１１は停止状態とし、室内送風機１７は運転または停止でもどちらでもよい。除霜Ａ運転では室内からの熱を除霜に利用するため、室内温度は低下する。ただし、蓄熱媒体槽２６の熱を使用したくない場合には、除霜Ａ運転を行う。【００５１】  除霜Ｂ運転の時の冷媒の流れ方は、図１で圧縮機１から吐出された冷媒は、冷暖切換弁２を通り、制御弁４、室外熱交換器５、逆止弁６、制御弁８、制御弁２５、減圧装置２３、冷媒対蓄熱媒体熱交換器２２、減圧装置２０、冷暖切換弁２から気液分離器１９に入り圧縮機１に至り一巡した冷凍サイクルとなる。【００５���】  蓄熱媒体循環ポンプ２８は運転し、蓄熱媒体槽２６の熱を冷媒対蓄熱媒体熱交換器２２に送り除霜のための熱とする。室外送風機１１は停止状態とし、室内送風機１７は運転または停止でもどちらでもよい。この時、制御弁３および制御弁９は閉止状態とする。逆止弁２４および逆止弁２１は自動的に閉止状態となっている。【００５３】  除霜Ｂ運転は、室内へは冷媒がごく僅か熱が供給されるため室内温度への影響は少なく、室内送風機が運転していると室内空気を撹拌するため室内温度のむらが減少する。【００５４】  蓄熱運転は、蓄熱媒体槽２６にヒートポンプ運転で蓄熱する運転で、冷房運転も暖房運転もしていない時に行う事ができる。蓄熱運転の時の冷媒の流れ方は、図１で圧縮機１から吐出された冷媒は、冷暖切換弁２を通り、逆止弁２１、冷媒対蓄熱媒体熱交換器２２、逆止弁２４、制御弁２５、制御弁８、減圧装置７、室外熱交換器５、制御弁４、冷暖切換弁２から気液分離器１９に入り圧縮機１に至り一巡した冷凍サイクルとなる。【００５５】  蓄熱媒体循環ポンプ２８は運転し、室外熱交換器５で室外空気から汲み上げた熱を冷媒対蓄熱媒体  熱交換器２２を通して蓄熱媒体槽２６に蓄熱する。室外送風機１１は運転状態とし、室内送風機１７は運転または停止でもどちらでもよい。この時、制御弁３および制御弁９は閉止状態とする。逆止弁６は自動的に閉止状態となっている。【００５６】  蓄熱運転は、暖房運転をしていない時、すなわち空調機として使用していない時および暖房運転し室内温度が規定温度まで上昇した時に行える。したがい、蓄熱運転で蓄熱媒体槽２６の温度を上げておき、不足の熱量をボイラーおよび電気ヒーターなどで補い増加させる事が可能で、省エネルギーを図る事ができる。【００５７】  図１は、室外機５０、室内機５１および蓄熱媒体ユニット５２の３機体に別けてあるが、これらは統合し１機体または２機体でも可能である。【００５８】  減圧装置７、１３、２０、２３は図１では細管で示してあるが、電動膨張弁に替える事も可能である。その場合には、細管、逆止弁および制御弁を含め電動膨張弁に置き換える事も可能である。【００５９】  本発明の８種類の運転における冷暖切換弁、室外送風機、室内送風機、各制御弁および蓄熱媒体循環ポンプの動作と高圧と低圧を分ける主減圧装置の図１のＮｏを表１に示す。表１は圧縮機１が定常の運転になっている場合を示し、圧縮機停止中、始動途中及び停止途中の状態ではない。【００６０】
【表１】
2006017440.tif 000003
【００６１】注  開：冷媒が通過できる状態を示す。
閉：冷媒が通過できない状態を示す。
（運転），（停止）：運転または停止が絶対的条件ではない事を示す。
【産業上の利用可能性】
【００６２】  本発明は、冷房、暖房、給湯または暖房能力増強などの特徴があるため、温暖地で冷房を主として利用し給湯も必要な場合、また厨房など冷房期間が長く給湯を多く使用する場合および冷房期間が短く暖房期間中の外気温度が低い地域で暖房能力増強運転を使用するような場合など、従来のヒートポンプにはない使い方や対応不可能な地域での使用が省エネルギーで可能なため利用価値は高い。【００６３】  これらの使い別けは、蓄熱媒体槽の大きさの選定、ボイラーなど外部熱源の有無および水道水の接続などによっていて、室外機および室内機は同一のもので対処できる。【００６４】  また、排熱回収やヒートポンプ蓄熱などが可能なため省エネルギー機器であるため利用可能性は非常に高い。
【図面の簡単な説明】
【００６５】
【図１】本発明によるヒートポンプ空調機の主要部品と冷媒系統および蓄熱媒体系統を示した図面である。
【図２】従来のヒートポンプ空調機の主要部品と冷媒系統を示した図面である。
【図３】従来のヒートポンプ温水機の主要部品と冷媒系統を示した図面である。
【図４】従来の暖房能力増強ヒートポンプ空調機の主要部品と冷媒系統を示した図面である。
【符号の説明】
【００６６】  １    圧縮機
２    冷暖切換弁（実線は冷房時、破線は暖房時の流れ方を示す）
３    制御弁
４    制御弁
５    室外熱交換器（冷媒対空気）
６    逆止弁
７    減圧装置
８    制御弁
９    制御弁
１０    閉鎖弁
１１    室外送風機（Ｍはモーターを示す）
１２    閉鎖弁
１３    減圧装置
１４    逆止弁
１５    室内熱交換器（冷媒対空気）
１６    閉鎖弁
１７    室内送風機（Ｍはモーターを示す）
１８    閉鎖弁
１９    気液分離器
２０    減圧装置
２１    逆止弁
２２    冷媒対蓄熱媒体熱交換器
２３    減圧装置
２４    逆止弁
２５    制御弁
２６    蓄熱媒体槽
２７    電気ヒーター
２８    蓄熱媒体循環ポンプ
２９    温水弁
３０    水道水
３１    電気ヒーター用電気配線
３２    接続配管
３３    接続配管
３４    蓄熱媒体行き管
３５    蓄熱媒体戻り管
３６    貯湯槽
５０    室外機
５１    室内機
５２    蓄熱媒体ユニット
【図１】
2006017440.tif 000004
【図２】
2006017440.tif 000005
【図３】
2006017440.tif 000006
【図４】
2006017440.tif 000007